(57)【特許請求の範囲】
【請求項１】
中央処理装置（ＣＰＵ）、記憶装置、入力装置、液晶表示装置（ＬＣＤ）、及び該液晶表示装置を照明するバックライトから構成される携帯用情報機器において、
前記入力装置により入力した設定時間により動作する、前記ＣＰＵに接続されたタイマーを備え、
前記タイマーからの信号を受けて、前記ＬＣＤは表示用電源を切り離され、表示休止状態になり、表示再開後には表示休止中に更新された時刻情報を表示するのと同時に、前記入力装置により予め設定入力した点灯ＯＮ時間内である場合に前記バックライトを点灯させ、その後表示休止前の画面に戻ることを特徴とする携帯用情報機器。
【請求項２】
請求項１記載の携帯用電子機器において、前記入力装置により予め設定入力した点灯ＯＮ時間外である場合には前記バックライトは点灯しないことを特徴とする携帯用情報機器。
【請求項３】
中央処理装置（ＣＰＵ）、記憶装置、入力装置、液晶表示装置（ＬＣＤ）、該液晶表示装置を照明するバックライト及び照度センサーから構成される携帯用情報機器において、
前記入力装置からの入力がある一定時間ないと信号を出す、前記ＣＰＵに接続されたタイマーを備え、
前記タイマーからの信号を受けて、前記ＬＣＤは表示用電源を切り離され、表示休止状態になり、入力装置から入力すると表示が再開し、表示再開後には表示休止中に更新された時刻情報が表示され、この時の周囲の明るさを前記照度センサーが感知し、表示の見えない明るさの時は前記バックライトを同時に点灯させその後、表示休止前の画面に戻ることを特徴とする携帯用情報機器。
【発明の詳細な説明】
【０００１】
【発明の属する技術分野】
本発明は、電子的アドレス帳やスケジュールなどのＰＩＭ（パーソナル・インフォメーション・マネージャー）ソフトを内蔵した携帯用情報機器のＥＬバックライト点灯方法に関するものである。
【０００２】
【従来の技術】
従来、ＥＬバックライトの点灯にはボタン操作で行なう物が一般的であるが、ＥＬ点灯ボタンは複数あるボタンの内のどれか一つに割り当てられている。よって暗闇等でボタンが見えないような時は手探りでボタンを探さなければならなかった。また、携帯用情報機器のため、表示休止状態から入力装置によって、表示再開するが、この表示再開時に入力装置を操作し、さらにＥＬ点灯ボタンを操作しなければＥＬは点灯せず、入力装置を２回操作しなければならなかった。
【０００３】
【発明が解決しようとする課題】
上記のような携帯用情報機器においては、電池寿命が課題であったため、一定時間使用しないときには表示の電源を切るかまたは表示を点滅させる。また、表示再開後には表示休止中に更新された情報が表示された後、表示休止前の画面に戻ることが出来る、低消費電流タイプであった。
【０００４】
このＬＣＤ表示休止状態から、入力操作によって表示再開するが、この表示が暗闇で見えない時などは、ＥＬ専用の操作ボタンを再度操作しなければならなく、２回の操作が必要になる。
本発明は、このような課題を解決するために、一回の入力操作によって表示再開、同時にＥＬバックライトを点灯させる携帯用情報機器を提供しようとするものである。
【０００５】
【課題を解決するための手段】
上記目的を達成するために、本発明の携帯用情報機器は、ＬＣＤ表示休止状態から、入力装置によって、表示再開されたと同時にＥＬバックライトを点灯させることを特徴とする。また、表示休止中に更新された情報が点滅表示される場合は、この点滅にあわせてＥＬも点滅させることによって、更新された情報を暗闇でボタン操作せずに確認することができる。
【０００６】
【発明の実施の形態】
以下、この発明の実施例を図面に基づいて説明する。
図１はこの発明の実施例の構成を示すブロック図である。
図１において、ＣＰＵ（中央処理装置）１１に記憶装置１２および操作キー１３が接続され、操作キー１３からの入力によりＣＰＵ１１が記憶装置１２と信号のやりとりをしながら所定の演算処理をする。この処理の結果を表示するためにＬＣＤドライバー１４を通してフルドットのＬＣＤ１５が接続され、これに表示される。ＥＬバックライト１６は、ＣＰＵ１１から、制御信号が出て、ＥＬドライバー１７を通して、ＥＬバックライト１６が点灯する。
【０００７】
ＣＰＵ１１にはタイマー１８が接続され、操作キー１３からの入力がある一定時間ないと信号を出すようになっている。この時間の設定は操作キー１３から自由に出来るようになっている。ＬＣＤドライバー１４とＬＣＤ１５およびＥＬドライバー１７とＥＬバックライト１６にはそれぞれ独立して電源に接続されており、その電源との間にはそれぞれスイッチ１９、２０が接続されている。これらのスイッチ１９、２０はタイマー１８からの信号を受けてＣＰＵ１１により開閉される。
【０００８】
スイッチ１９では、ある設定時間入力操作されないと、ＬＣＤが表示休止状態になり、再び入力操作されると表示が再開される仕組みである。
次に表示が再開される時の動作を流れ図により説明する。図２は休止していた表示が再開され、ＥＬが点灯する時の流れ図である。以下、括弧内の数字は図の各ステップに対応する記号である。
【０００９】
操作キーからの割り込み（２００）があると関連するＣＰＵが起動し（２０１）、時計が表示（２０２）され、ＥＬバックライトが点灯する（２０３）。これは機器が正常に再開したことを示すとともに、機器の携帯者が知りたい情報は時刻であろうと推察されるためで、携帯者が更新される種々の情報の中からあらかじめ選択しておけることは言うまでもない。この時、知りたい情報が、辺りが暗く見えないことの無いようＥＬを同時に点灯させる。
【００１０】
この時計をある一定時間表示、及びＥＬ点灯した後、休止前のソフトを選び出しその画面を表示（２０４）し、ＥＬも消灯（２０５）する。
次に、時計表示＋ＥＬ点灯で消費電流を低減する実施例について２つ説明する。図３、図４は本発明の時計表示＋ＥＬ点灯の動作を示す流れ図である。
図３は操作キーからの割り込み（３００）があると関連するＣＰＵが起動し（３０１）、時計が表示（３０２）される。
【００１１】
同時に、あらかじめ設定入力したＥＬ点灯ＯＮ時間内（３０３）であれば、ＥＬを点灯（３０４）させ、時間外の時は、ＥＬは点灯しない（３０５）ようにする。
これは、機器の携帯者が、日常の生活習慣にあわせて設定することができ、夜の帰宅時間のみ等を設定することができる。
【００１２】
また、場合によってはＥＬが同時に点灯しないようにしてもよい。
この時計をある一定時間表示、及びＥＬ点灯した後、ＥＬ消灯（３０６）すると同時に表示休止前のソフトを表示（３０７）する。
図４は操作キーからの割り込み（４００）があると関連するＣＰＵが起動し（４０１）、時計が表示（４０２）される。
【００１３】
同時に、照度センサーで外部の明るさを感知（４０３）し、ＬＣＤが判読できない明るさの時は、ＥＬを点灯（４０４）させる。ＬＣＤが判読できる明るさの時は、ＥＬは点灯しない（４０５）ようにする。
これは、機器の携帯者が、いついかなる時であれ知りたい情報が確実に１回の操作で確認することができる。
【００１４】
この時計をある一定時間表示、及びＥＬ点灯した後、ＥＬ消灯（４０６）すると同時に表示休止前のソフトを表示（４０７）する。
次に、操作キー割り込みが無い場合において、ＥＬを点灯させる方法を流れ図に沿って説明する。操作キーよりあらかじめＥＬ点滅のオン時間オフ時間の設定及び、ＥＬ点滅を終了させるタイマーを設定する。
【００１５】
そして、ＥＬ点滅ソフトを実行（５０２）させると、タイマースタート（５０３）し、ＥＬが点灯（５０４）、消灯（５０５）し、タイマーカウントが完了（５０６）するまで繰り返し点滅し、タイマーカウントが完了（５０６）するとＥＬが消灯（５０７）する。これは、夜間２輪車を運転している時など両手がふさがっているような時でも時刻等を確認することができる。
【００１６】
また、タイマーを使うことにより点滅しっぱなしを防止することができる。
上述のように、本発明は情報機器の消費電流低減のために、ある時間操作しなければ表示は休止状態になり、再開する時はいずれかの操作キーを押せば時計などの画面が表示された後休止前の画面に戻る構造であり、いずれかの操作キーを押せば暗闇等では、同時にＥＬを点灯させる事ができる。また、ＥＬの点滅によって、両手がふさがっている時でも時刻等を確認することができる。
【００１７】
【発明の効果】
以上述べたように、本発明の携帯用情報機器は、ＬＣＤ表示休止状態から、入力装置によって、表示再開されたと同時にＥＬバックライトを点灯させるような構成を持つので、次のような効果を有する。
どの操作キーより入力された場合でも、機器の携帯者が知りたい情報が暗闇で見えないことはない。また必要時のみＥＬを点灯させるため無駄な消費電流もかからないため、機器の電池寿命には影響しない。
【００１８】
ＥＬの点滅によっては、両手がふさがっている時でも時刻等を確認することができるため、２輪車の片手運転の防止や、夜間の作業者も作業しながら時刻の確認ができる。
従って、ＥＬの点灯がどの操作キーからでも知りたい情報が見えることによりさらに使い易くなる本発明の効果は非常に大きい。
【図面の簡単な説明】
【図１】本発明の実施例の回路ブロック図である。
【図２】本発明の実施例の動作のステップを示す流れ図である。
【図３】本発明の実施例の動作のステップを示す流れ図である。
【図４】本発明の実施例の動作のステップを示す流れ図である。
【図５】本発明の実施例の動作のステップを示す流れ図である。
【符号の説明】
１１          ＣＰＵ
１２          記憶装置
１３          操作キー
１４          ＬＣＤドライバー
１５          ＬＣＤ
１６          ＥＬバックライト
１７          ＥＬドライバー
１８                タイマー
１９、２０    スイッチ
【図１】
0003547638.tif 000002
【図２】
0003547638.tif 000003
【図３】
0003547638.tif 000004
【図４】
0003547638.tif 000005
【図５】
0003547638.tif 000006